(57)【要約】      （修正有）【課題】秋田県田沢湖町玉川温泉の岩盤浴の効果を自宅あるいは営業入浴施設、介護施設、美容施設等で実現する波動温熱浴用温熱盤の提供。利用者は着衣のままで利用でき、心臓、高血圧又外傷を有する場合でも、症状や患部に負担を与えずに、入浴やサウナ・蒸気浴等と同等以上の発汗作用と皮膚の清潔の保持を得る入浴法の提供【解決手段】波動温熱浴用温熱盤内部の熱伝導体と盤表面の塗料に遠赤外線放射物質を混入し、温熱の遠赤外線を二度増幅する事で体内への浸透力を増強し、旺盛な発汗作用促進を実現した。盤表面温度は４７〜４８℃に保ち、利用者の体内深部に速やかに浸透し、発汗作用を促進させる。熱源は、温水あるいは電熱ヒーターに拠る二つのタイプの用意があり、設置者の選択が可能である。本波動温熱浴は着衣のままで、利用することを最大の特徴とする。【選択図】  図６
2004261547.tif 000002
【特許請求の範囲】
【請求項１】
波動温熱浴盤の上に衣服を着けたまま横臥するだけで遠赤外線の効果により、入浴以上の発汗作用を得る波動温熱浴の方法
【請求項２】
波動温熱浴用温熱盤の製造方法
【発明の詳細な説明】
【０００１】
【発明の属する技術分野】
本発明は、着衣のままで波動温熱浴用温熱盤の上に寝ながら、効率的で身体に負担をかけない発汗作用を得る波動温熱浴に関するものである。
本発明の原点は、秋田県田沢湖町に古くから効能が知られている玉川温泉の岩盤浴である。玉川温泉の岩盤浴は高い発汗作用と代謝機能亢進作用で、公知の通り評価が高いが、岩盤浴をする場所や地盤上の制約、及び周辺の雰囲気に高濃度の硫黄分を含むため、着衣が痛み易いこと、そして  立地条件から、なかなか簡単に利用出来ず、その効用に浴する機会を得ることが困難な場合も多々発生した為、その効能の人工的応用の実現が期待されていた。
また、外傷を有する患者の入浴が、入浴可能に回復するまで長期間不可能である場合、皮膚の清潔の保持や患者の精神的安寧を得ることに困難があり、その対策に苦慮していた。本発明の利用により、湯に浸からない事、サウナや蒸気浴のような非常に高い温度でないことで、負傷部に負担を与えたり、湯による感染の危険を犯すことなく、皮膚の清潔と利用する患者の精神的安寧を得ることを実現した。本発明は、それら全ての期待を実現したものである。
【０００２】
【従来の技術】従来、入浴とは、全ての着衣を外し全裸で湯に浸かり、皮膚から吸収した熱で身体を温め、全身の血流を活発にすることにより、発汗作用を促し、発汗に伴う老廃物の排出、また、皮膚表面の湿潤化で皮膚表面の汚れを洗い流し易くして、皮膚の汚れと付着の垢を洗い流す事と新陳代謝機能を亢進させる事による、心身の疲労回復効果を得る事であった。しかし、入浴においては水圧が、砂風呂では、砂の重量による圧力が、サウナや蒸気浴においては、高温と多湿度が身体、特に心臓や脳の血管に対し、大きな負担を与える問題があった。
【０００３】従来の入浴、サウナ浴、蒸気浴等の方法では、介護施設や訪問入浴介護に於ける介護をする側の担当者は、高温多湿による疲労が大きいこと、被介護者は全裸なので、浴槽への落下、サウナ浴蒸気浴においては、被介護者のヤケド等の危険を排除出来なく、介助を施す側の過酷で危険な作業のひとつに加えられていた。
【０００４】従来の浴室は、建築的に、防水防湿工事、給排水工事等専用の工夫を必要とし特別の空間として構築する必要があり、経費的な負担が大きかった。
【０００５】
【本発明が解決しようとする課題】本発明は、玉川温泉「岩盤浴」の地理的に不利な条件を解消し、また、多量な硫黄分を含む地盤や雰囲気の悪影響を排除して、効能効果のみを利用できるよう工夫したものである。利用する側においては湯や高温多湿のない通常の雰囲気の中、着衣のまま横臥した状態で遠赤外線の効果を利用した波動温熱を体内の深部に素早く伝導浸透する作用によって、従来の入浴やサウナで得られる以上の発汗作用を得られる入浴法を、そして入浴介護を行う側にとっては、通常の雰囲気の下での安全な作業と、疲労の軽減を与えるものである。また、建築構造的には、設備する為に必要な専用部分の建築的経費を最小の負担増の範囲内に収めた。
【０００６】
【課題を解決するための手段】本発明の請求項２にて記載の波動温熱浴用温熱盤とは、基本的には、公知の床暖房用パネルと同一の理論に立脚しているが、最も大きく異なる点は、波動温熱浴用温熱盤の使用する温度帯が、床暖房用パネルとの比較に於いて、高温（循環温水温５５〜７５℃、盤表面温度４７〜４８℃）な点にある。そして、床暖房は設備した部屋の空気を暖めるための暖房装置であり、使用する形態が、異なる点である。波動温熱浴用温熱盤を利用する人は、低温ヤケドを防止すると保温の為、着衣のままシーツあるいはタオルケット等を敷いた波動温熱浴用温熱盤に横臥し、身体の上部には保温の為に毛布、タオルケット・バスタオル等を被覆した状態で利用する。波動温熱浴用温熱盤より供給される遠赤外線を豊富に含み、そして、二回の波動効果で身体への浸透力を強化増幅された温熱を受ける事で、発汗作用を促進する目的にある。
【０００７】波動温熱浴用温熱盤は盤内部に温水を循環するパイプ又は、電熱ヒーターを有し、温水循環パイプ又は、電熱ヒーターにより供給される温熱は、任意の遠赤外線放射物質を含む熱伝導媒体の作用により効率的に増幅され、波動温浴用温熱盤の表面に伝える。更に任意の遠赤外線放射物質含む塗料で塗装された波動温熱浴用温熱盤の表面を通過する事で、効果的に二回増幅された遠赤外線の波動が伝わることにより、素早く利用者の身体の深部にまで浸透させる、波動温浴用温熱盤のことであり、波動温熱浴とは、波動温熱浴用温熱盤を使用して発汗作用を得る事である。
【０００８】本発明の請求項２記載の波動温熱浴用温熱盤の製造法は、盤内部の熱伝導媒体と盤表面に塗装された塗料の両者に、任意の天然あるいは人工合成の遠赤外線放射物質を任意の割合で混入していることを特徴とする。
【０００９】熱伝導媒体は、液体、固体、ペースト体（糊状流動体）のいずれの性状でも問わない事と、各々の組み合わせによる特性に対し、容易く対応する為の柔軟性を有する事を特徴とする
【００１０】更に本発明の請求項に該当しないが、本発明の設置について、浴室としての建築的な工夫を必要としない事を特徴とする。
【００１１】
【発明実施の形態】本発明の実施の形態を、図１に於いては、本発明の仕組みの流れについて及び図２・３に於いては構造を、図６・７に於いては、波動温熱の働きについて詳細な説明を述べている。
図１の流れでは、波動温熱浴の熱源としての温水ボイラー（１）にて供給される温熱（１−ａ）は、温水（１−ｂ）として循環パイプ（２）を通ることで、任意の遠赤外線放射物質（３−ａ）を含む熱伝導媒体（３）を介して、波動温浴用温熱熱盤の外板（４）の表面の塗料（５）あるいはコーティング（５）に含まれた遠赤外線放射物質（３−ａ）を更に介すことで、遠赤外線（１−ａ−ｉ）の浸透力が増幅される。浸透力を増幅した温熱（１−ａ）は利用者の体内の深部（１４）に速やかに浸透し、発汗作用を促進し、利用者の心臓や血管に負担を与えることなく必要にして充分な発汗が得られる効果の仕組みについて、述べている。本発明の発汗作用の説明に於いては、特願平１１−１６４６０３に類似点があるが、全く異なる点として、本発明の波動温熱浴用温熱盤場合、温水循環型及び電熱ヒーター型共、設置予定の場所に建築的工事や工夫を殆ど必要とせず、特に電熱ヒーター型では、単に使用したい場所に置くだけで、使用可能であり、使用しない時は、簡単に移動や取り片付けが出来る点に特徴を有するものである。
【００１２】無論、温水循環タイプの波動温浴用温熱盤を使用する場合は、熱源である温水を循環させる為の配管工事を必要とするが、波動温浴用温熱盤を設置する場所までの配管は、既設建屋の本格的な建築的改造工事を施さなくとも、壁貫通部分以外は露出配管工事で対応することが可能である事を特徴とする。意匠的には、配管を隠蔽する為の工夫を施すが、露出配管での施工が可能な故に、保守点検作業が容易に施せる配慮に繋がることを特徴とする。
【００１３】隠蔽と配管の保温の為の工夫は、任意の合板製あるいは樹脂製又は軽金属製等、任意の細長いパネル使用での対応を、図２の隠しパネル（６−１，６−２）を組み合わせの例で、示す通り、簡単な工事での対処が可能ある事を設計上で配慮している。又、隠しパネルの上部（６−１）は、利用者の荷物の一部や飲料水を置く事に使用する為、利便性と盗難防止効果も高いことを特徴とする。
【００１４】
【作用】上記の構成によると、波動温浴用温熱盤に供給される温熱は、熱伝導媒体と表面保護用塗料に混入された任意の遠赤外線放射物質の作用で、遠赤外線の波動効果を二重に増幅し、利用者の体内深部に穏やかで速やかに浸透する為、常温常湿の雰囲気の中で、利用者の心臓や血管、又、外傷部等に負担を掛ける事無く、素早く良好で効率的で旺盛な発汗作用を得ることを特徴とする。
【００１５】本発明の波動温熱浴用温熱盤による効率的で旺盛な発汗作用は、利用する人の体質や身体的条件によっては発現する程度に差を生じるが、利用者の身体に負担を強いることのない、非常に良好な減量効果が実現することを特徴とする。
【００１６】波動温熱浴用温熱熱盤を当初設置する為の経費は、建築的改造費用を最小の範囲内に納めての設置が可能である。
【００１７】電気ヒーター、温水ボイラー両タイプとも運転経費についても、高温を必要としない為、温熱は、遠赤外線放射物質の働きで効率的な運転を実現したので、従来の入浴設備と比較して経済的優位性を示している。
【００１８】
【実施例】以下、この発明の実施例を参考図面１及び図５・６に基づいて説明をする。熱源を温水ボイラーとする温循環タイプの場合、ボイラー（１）にて加温された温水（１−ｂ）は、温水循環パイプ（２）を通じ、波動温浴用温熱盤内部に流入する。流入した温水（１−ｂ）は、パイプの表面を通じ、任意の遠赤外線放射物質（３−ａ）を含有する熱伝導媒体（３）に温熱（１−ａ）を伝達し、更に任意の割合で混入された遠赤外線放射物質（３−ａ）を含む塗料（５）を塗装あるいは焼き付けコーティング固定された波動温浴用温熱盤外板（４）の表面を経由することで、二重に増幅された浸透力を強化された遠赤外線を豊富に有する温度は，着衣のまま波動温浴用温熱盤の上に、横臥する利用者（１４）の体内の深部に素早く浸透することにより、旺盛な発汗作用が促進される。
【００１９】波動温熱浴の利用者は、従来の入浴と異なり水圧や、サウナや蒸気浴の非常な高温の影響を受けないので、心臓や脳内の血管、そして外傷部位等に負担を与えられることなく、従来の入浴やサウナ浴等から得られる以上の旺盛で効率的な発汗作用を得られる事を特徴とする。
【００２０】但し、利用者は、波動温浴用温熱盤から放射伝導される遠赤外線を豊富に含む温熱を無駄なく体内に取り入れる為、波動温熱浴用温熱盤の表面に、低温ヤケドの予防と柔らかな使用感の為にバスタオル、タオルケット、毛布あるいはシーツ等を敷き、横臥した体の上には、保温効果と発汗作用促進の為に、バスタオル、タオルケットあるいは毛布等にて被覆することで、より良い発汗作用の効果を得ることを特徴とする。
【００２１】従来の入浴や運動によって得られる汗と異なり、利用者の発する汗は、非常にサラリとした状態で得られる為、波動温熱浴後の汗の洗い流しは、シャワーを使用しないでも、清涼感を得られることを特徴とする。
【００２２】
【発明の効果】以上の説明の通り、本発明の波動温熱浴用温熱盤は、波動温熱浴用温熱盤内部に使用している熱伝導媒体と波動温浴用温熱盤表面に固定された塗料に含まれる遠赤外線放射物質が、遠赤外線効果を有効に発揮する公知で任意の遠赤外線放射物質で対応可能であることを特長とする。
【００２３】しかも、任意の混合割合での対応が、可能であることを特徴とする。
【００２４】本発明の波動温熱浴法は着衣のままの利用法なので、従来の入浴介護作業と比較して、例えば、病院や介護施設の入浴介護作業において、介護担当員は通常の雰囲気近い状況下での作業の為、介護作業担当員の身体的疲労の軽減と作業時の快適性、そして安全性を与え、また、介護作業を受ける側に於いては、着衣のままなので、不必要な羞恥心を与えられない心理的安心感と、介護作業員の作業上の負担が軽減される事により、従来と比較して、入浴のより多い機会を得られる事は、被介護者の皮膚の血行が改善され、皮膚の衛生状態の保持に繋がり「褥創（床擦れ）」発症の防止効果が得られる事を、最大の特徴とする。
【００２５】本発明の波動温熱浴用温熱盤による、速やかで良好な発汗作用は、体内の余分な水分の排出と連動するため、利用者の身体に負担を掛けることが少さい、効果的な減量痩身効果を実現する事を特徴とする。
尚、減量痩身効果の程度については、利用者の体質を初め、身体の体質的条件が異なるので、一律の効果でないことは、言うを待たない。但し、減量痩身を目的に本発明を利用する場合は、特に水分を補給しながら利用する事が、望ましい。
【００２６】当初の設備経費の面では、設置の為の建築工事において、従来の浴室、サウナ室、蒸気浴室のように、建築的に専用の対策工夫を必要とせず、通常の室内条件でも可能な為、最小限の改造経費で設置可能である。但し、業務用施設の場合、良好な衛生状態を保つ為に、設置場所床面の水洗いが可能な構造にする事が、望ましい。
【００２７】本発明の運転経費は、温水タイプの場合では、波動温熱浴用温熱盤内部の熱伝導媒体と波動温熱浴用温熱盤の表面に固定された塗料に混入した任意の遠赤外線放射物質が、二重の増幅作用を働くことにより、効率的に増幅され浸透力を強化された遠赤外線を豊富に含む温熱は、利用者の体内に、素早く短時間で浸透伝導するため、消費する燃料の節約とＣＯ２の発生量の抑制効果も大きい事を特徴とする。
【００２８】電熱ヒーター・タイプに於いては、伝導される温熱は、やはり波動温熱浴用温熱盤内部の熱伝導体と波動温熱浴用温熱盤表面の塗料に含まれる任意の遠赤外線放射物質の作用で、二重に増幅された温熱は、効率的に素早く利用者の体内深部に浸透伝導するので、消費電力は、必要最小限度短時間に留まるので、電力料金の軽減を実現することを特徴とする。
【符号の説明】
１  温水供給用ボイラー    １−ａ  温熱  １−ａ−ｉ遠赤外線  １−ｂ  温水
２  循環パイプ
３  熱伝導媒体  ３−ａ  遠赤外線放射物質
４  外板
５  遠赤外線を含む塗料
６  循環パイプ隠蔽用パネル（上部用）    ６−ａ立ち上げパネル
７  底板
８  フレーム材
９  温水流量調節バルブ
１０  温度計
１１  体内の深部
１２  電熱ヒーター    １２−ａ  温度調節器
１３  シーツ、タオルケット、バスタオル等  １３−ａ  毛布、タオルケット等
１４  着衣のままの利用者
１５  既設建物の床部    １５−ａ  既設建物の壁    １５−ｂ  壁貫通孔
１６  温水循環ポンプ
１８  波動温熱浴用温熱盤固定用外枠
尚、各図中同一符号は、同一または相当する部分を示す。
【図の簡単な説明】
2004261547.tif 000003
2004261547.tif 000004
2004261547.tif 000005
2004261547.tif 000006
【手続補正書】
【提出日】平成15年5月24日(2003.5.24)
【手続補正１】
【補正対象書類名】明細書
【補正対象項目名】図面の簡単な説明
【補正方法】変更
【補正の内容】
【図面の簡単な説明】
【図１】波動温熱浴のフローシートである
【図２】波動温熱浴用温熱盤、温水循環タイプの断面図である
【図３】波動温熱浴用温熱盤、電熱ヒータータイプの断面図である
【図４】波動温熱浴用温熱盤、温水循環タイプの設置例の斜視図である
【図５】波動温熱浴用温熱盤、電熱ヒータータイプの設置例の斜視図である
【図６】波動温熱浴用温熱盤、温水循環タイプの設置断面図である
【図７】波動温熱浴用温熱盤、電熱ヒータータイプの設置断面図である
【図８】波動温熱浴用温熱盤、温水循環タイプの設置平面図である
【図９】波動温熱浴用温熱盤、電熱ヒータータイプの設置平面図である
【符号の説明】
１  温水供給用ボイラー    １−ａ温熱  １−ａ−ｉ遠赤外線  １−ｂ温水
２  循環パイプ
３  熱伝導媒体  ３−ａ  遠赤外線放射物質
４  外販
５  遠赤外線放射物質を含む塗料
６  循環パイプ隠蔽用パネル（上部用）  ６−ａ  立ち上げパネル
７  底板
８  フレーム材
９  温水流量調節バルブ
１０  温度計
１１  身体の深部
１２  電熱ヒーター  １２−ａ  温度調節器
１３  シーツ、タオル、バスタオル等  １３−ａ毛布、タオルケット等
１４  着衣のままの利用者
１５  既設建物の床部  １５−ａ既設建物の壁  １５−ｂ壁貫通孔
１６  温水循環ポンプ
１８  波動温熱浴用温熱盤固定用外枠
尚，各図中同一符号は、同一または相当する部分を示す


【手続補正２】
【補正対象書類名】図面
【補正対象項目名】全図
【補正方法】追加
【補正の内容】
【図１】
2004261547.tif 000007
【図２】
2004261547.tif 000008
【図３】
2004261547.tif 000009
【図４】
2004261547.tif 000010
【図５】
2004261547.tif 000011
【図６】
2004261547.tif 000012
【図７】
2004261547.tif 000013
【図８】
2004261547.tif 000014
【図９】
2004261547.tif 000015